(57)【要約】  開示されるシステムおよび方法は、アクセス制御システムのためのスマートアクセス制御リーダに関する。実施形態によれば、方法は、アクセス制御システムの配線を介してアクセス制御システムにスマートアクセス制御リーダを接続することによって、アクセス制御システムにスマートアクセス制御リーダを設置することを含むことができる。本方法は、スマートアクセス制御リーダによって、アクセス制御システムによって１人または複数のユーザを認証するための１つまたは複数の第１の資格情報を受信することも含むことができる。本方法は、スマートアクセス制御リーダによって、１つまたは複数の第１の資格情報が許可されていると判定することをさらに含むことができる。その上、本方法は、スマートアクセス制御リーダによって、アクセス制御システムによって監視されている区域にアクセスしたいという第１のユーザによる要求に応じて、アクセス制御システムのアクセス制御パネルに第２の資格情報を送信することを含むことができる。
2019505058.tif 000002
【特許請求の範囲】
【請求項１】
アクセス制御システムにおいてスマートアクセス制御リーダを使用するための方法であって、
前記アクセス制御システムの配線を介して前記アクセス制御システムに前記スマートアクセス制御リーダを接続することによって、前記アクセス制御システムに前記スマートアクセス制御リーダを設置することと、
前記スマートアクセス制御リーダによって、前記アクセス制御システムによって１人または複数のユーザを認証するための１つまたは複数の第１の資格情報を受信することと、
前記スマートアクセス制御リーダによって、前記１つまたは複数の第１の資格情報が許可されていると判定することと、
前記スマートアクセス制御リーダによって、前記アクセス制御システムによって監視されている区域にアクセスしたいという第１のユーザによる要求に応じて、前記アクセス制御システムのアクセス制御パネルに第２の資格情報を送信することとを含む、方法。
【請求項２】
前記１つまたは複数の第１の資格情報が、前記第２の資格情報を含む、請求項１に記載の方法。
【請求項３】
前記第２の資格情報が、前記１つまたは複数の第１の資格情報と異なる、請求項１に記載の方法。
【請求項４】
前記アクセス制御パネルによって、前記第２の資格情報を受信したことに応じて、リレーを作動させて前記第１のユーザにアクセスを提供せよという電子施錠機構への命令を送信することをさらに含む、請求項１に記載の方法。
【請求項５】
前記１つまたは複数の第１の資格情報が、磁気ストライプリーダシステム、近接リーダシステム、無線周波数識別（ＲＦＩＤ）システム、アクセスコードシステムおよび生体検証システムの少なくとも１つを使用して受信される、請求項１に記載の方法。
【請求項６】
前記スマートアクセス制御リーダによって、前記１つまたは複数の第１の資格情報が許可されていると判定することが、
前記１つまたは複数の第１の資格情報をデータベースに記憶されている許可されている資格情報のリストと比較することと、
前記スマートアクセス制御リーダで、前記比較に基づいて前記１つまたは複数の第１の資格情報を有効とすることとを含む、請求項１に記載の方法。
【請求項７】
前記データベースが、前記スマートアクセス制御リーダのメモリに記憶されている、請求項６に記載の方法。
【請求項８】
前記データベースが、前記スマートアクセス制御リーダに結合されている、請求項６に記載の方法。
【請求項９】
前記スマートアクセス制御リーダが、カメラ、タッチパッド、発光ダイオード（ＬＥＤ）インジケータ、撮像センサ、音声センサ、ワイヤレスコントローラ、タッチコントローラ、ディスプレイコントローラ、ネットワークコントローラ、外部認証装置に接続するように構成される外部インタフェースバス、ユーザ装置と通信して支払いに基づいてアクセスを規制するように構成される第２のインタフェース、および電力管理集積回路（ＰＭＩＣ）の少なくとも１つを備え、前記ＰＭＩＣが、前記スマートアクセス制御リーダの１つまたは複数の部品のための電力管理を行う、請求項１に記載の方法。
【請求項１０】
前記スマートアクセス制御リーダの１つまたは複数の部品の電源を切ることをさらに含む、請求項１に記載の方法。
【請求項１１】
前記スマートアクセス制御リーダと関連した不正イベントを検出することと、
警報を発生することとをさらに含む、請求項１に記載の方法。
【請求項１２】
前記不正イベントの前記検出に応じて、前記スマートアクセス制御リーダに記憶されているデータを削除すること、および前記データを暗号化することの少なくとも一方によって、前記データを保護することをさらに含む、請求項１１に記載の方法。
【請求項１３】
前記不正イベントの前記検出に応じて、画像、映像記録および音声記録の少なくとも１つを捕捉することをさらに含む、請求項１１に記載の方法。
【請求項１４】
アクセス制御システムのためのスマートアクセス制御リーダであって、
１つまたは複数の第１の資格情報を受信するように構成されるインタフェースと、
前記１つまたは複数の第１の資格情報が許可されているかどうかを判定し、そして、
前記アクセス制御システムによって監視されている区域にアクセスしたいという第１のユーザによる要求に応じて、前記１つまたは複数の第１の資格情報が許可されているときに前記アクセス制御システムのアクセス制御パネルに第２の資格情報を送信する、
ように構成されるプロセッサと、
前記第２の資格情報を記憶するように構成される記憶モジュールとを備える、スマートアクセス制御リーダ。
【請求項１５】
前記１つまたは複数の第１の資格情報が、磁気ストライプリーダシステム、近接リーダシステム、無線周波数識別（ＲＦＩＤ）システム、アクセスコードシステムおよび生体検証システムの少なくとも１つを使用して受信される、請求項１４に記載のスマートアクセス制御リーダ。
【請求項１６】
前記プロセッサが、
前記１つまたは複数の第１の資格情報をデータベースに記憶されている許可されている資格情報のリストと比較し、そして、
前記比較に基づいて前記１つまたは複数の第１の資格情報を有効とすることによって、前記１つまたは複数の第１の資格情報が許可されているかどうかを判定するように構成される、請求項１４に記載のスマートアクセス制御リーダ。
【請求項１７】
前記データベースが、前記スマートアクセス制御リーダのメモリに記憶されている、請求項１６に記載のスマートアクセス制御リーダ。
【請求項１８】
前記データベースが、前記スマートアクセス制御リーダに結合されている、請求項１６に記載のスマートアクセス制御リーダ。
【請求項１９】
前記スマートアクセス制御リーダが、カメラ、タッチパッド、発光ダイオード（ＬＥＤ）インジケータ、撮像センサ、音声センサ、ワイヤレスコントローラ、タッチコントローラ、ディスプレイコントローラ、ネットワークコントローラ、外部認証装置に接続するように構成される外部インタフェースバス、ユーザ装置と通信して支払いに基づいてアクセスを規制するように構成される第２のインタフェース、および電力管理集積回路（ＰＭＩＣ）の少なくとも１つをさらに備え、前記ＰＭＩＣが、前記スマートアクセス制御リーダの１つまたは複数の部品のための電力管理を行う、請求項１４に記載のスマートアクセス制御リーダ。
【請求項２０】
前記プロセッサが、
前記スマートアクセス制御リーダと関連した不正イベントを検出し、そして、
警報を発生するようにさらに構成される、請求項１４に記載のスマートアクセス制御リーダ。
【請求項２１】
前記プロセッサが、前記不正イベントの前記検出に応じて、前記スマートアクセス制御リーダに記憶されているデータを削除および暗号化することの少なくとも一方によって、前記データを保護するようにさらに構成される、請求項２０に記載のスマートアクセス制御リーダ。
【請求項２２】
前記プロセッサが、前記不正イベントの前記検出に応じて、画像、映像記録および音声記録の少なくとも１つを捕捉するようにさらに構成される、請求項２０に記載のスマートアクセス制御リーダ。
【発明の詳細な説明】
【技術分野】
【０００１】
関連出願
本出願は、２０１５年１１月４日に出願された、「Systems and Methods for Controlling Access to Physical Space」という名称の米国仮特許出願第６２／２５０，８４９号明細書についての米国特許法第１１９条（ｅ）に基づく利益を主張し、同出願の内容全体が引用により本明細書に援用される。
【０００２】
本出願は、２０１５年１月５日に出願の、「Methods and Systems for Multi-Unit Real Estate Management」という名称の米国特許出願第１４／５８９，８０５号明細書、および２０１６年９月６日に出願の、「Methods and Systems for Access Control and Awareness Management」という名称の米国特許出願第１５／２５７，７５０号明細書にも関連し、両出願の内容全体が引用により本明細書に援用される。
【０００３】
本開示は、物理空間へのアクセスを制御するためのシステムおよび方法に関し、より詳細には、現存のアクセス制御システムにスマートアクセス制御リーダを提供するためのシステムおよび方法に関する。
【背景技術】
【０００４】
従前のアクセス制御システムは、リーダ、アクセス制御パネル、および電子ドア作動ハードウェア装置を中心に構築される。リーダは、ユーザから資格情報を受信し、そして受信した資格情報をアクセス制御パネルに送信する。アクセス制御パネルは、許可されている資格情報の予め設定されたリストを記憶しており、リーダから渡された情報を許可されている資格情報の予め設定されたリストと照合して、そのユーザが自分の所望の行為を行う許可を与えられている、たとえば、特定の区域へのアクセスを許されているかどうかを判定する。ユーザが自分の所望の行為を行う許可を与えられていると判定される場合、アクセス制御パネルは、電子ドア作動ハードウェアをロック解除することができる。
【０００５】
従前のアクセス制御システムは、許可されている資格情報のすべてがアクセス制御パネルと同期されていなければならないので、ユーザの迅速な管理およびゲストに対するアクセスの設定のサポートが欠如している。資格情報を同期させるこの工程は、建物管理システムおよびアクセスまたはセキュリティ管理会社の側で多数の人間の関与のステップを伴う場合がある。加えて、その工程は、アクセス制御パネルの実際の更新のために複数のソフトウェアを変更することを伴う場合があり、かつ所有者、ユーザおよびゲストのためのアクセス情報を通信および更新する異なる仕方を更新することも伴う場合がある。その上、リーダに対するアップグレードは、基礎をなすシステムへの相当な変更を必要とする場合がある。
【発明の概要】
【課題を解決するための手段】
【０００６】
アクセス制御システムのためのシステムおよび方法が提供される。実施形態によれば、アクセス制御システムにおいてスマートアクセス制御リーダを使用するための方法は、アクセス制御システムの配線を介してアクセス制御システムにスマートアクセス制御リーダを接続することによって、アクセス制御システムにスマートアクセス制御リーダを設置することを含むことができる。本方法は、スマートアクセス制御リーダによって、アクセス制御システムによって１人または複数のユーザを認証するための１つまたは複数の第１の資格情報（credential）を受信することも含むことができる。本方法は、スマートアクセス制御リーダによって、１つまたは複数の第１の資格情報が許可（authorize）されていると判定することも含むことができる。本方法は、スマートアクセス制御リーダによって、アクセス制御システムによって監視されている区域にアクセスしたいという第１のユーザによる要求に応じて、アクセス制御システムのアクセス制御パネルに第２の資格情報を送信することも含むことができる。
【０００７】
実施形態によれば、１つまたは複数の第１の資格情報は、第２の資格情報を含むことができる。
【０００８】
実施形態によれば、第２の資格情報は、１つまたは複数の第１の資格情報と異なることができる。
【０００９】
実施形態によれば、本方法は、アクセス制御パネルによって、第２の資格情報を受信したことに応じて、リレーを作動させて第１のユーザにアクセスを提供せよという電子施錠機構への命令を送信することをさらに含むことができる。
【００１０】
実施形態によれば、１つまたは複数の第１の資格情報は、磁気ストライプリーダシステム、近接リーダシステム、無線周波数識別（ＲＦＩＤ）システム、アクセスコードシステムおよび生体検証システムの少なくとも１つを使用して受信されることができる。
【００１１】
実施形態によれば、スマートアクセス制御リーダによって、１つまたは複数の第１の資格情報が許可されていると判定することは、１つまたは複数の第１の資格情報をデータベースに記憶されている許可されている資格情報のリストと比較することを含むことができる。スマートアクセス制御リーダによって、１つまたは複数の第１の資格情報が許可されていると判定することは、スマートアクセス制御リーダで、比較に基づいて１つまたは複数の第１の資格情報を有効とすることも含むことができる。
【００１２】
実施形態によれば、データベースは、スマートアクセス制御リーダのメモリに記憶されることができる。
【００１３】
実施形態によれば、データベースは、スマートアクセス制御リーダに結合されることができる。
【００１４】
実施形態によれば、スマートアクセス制御リーダは、カメラ、タッチパッド、発光ダイオード（ＬＥＤ）インジケータ、撮像センサ、音声センサ、ワイヤレスコントローラ、タッチコントローラ、ディスプレイコントローラ、ネットワークコントローラ、外部認証装置に接続するように構成される外部インタフェースバス、ユーザ装置と通信して支払いに基づいてアクセスを規制するように構成される第２のインタフェース、および電力管理集積回路（ＰＭＩＣ）の少なくとも１つを含むことができ、ここではＰＭＩＣは、スマートアクセス制御リーダの１つまたは複数の部品のための電力管理を行う。
【００１５】
実施形態によれば、本方法は、スマートアクセス制御リーダの１つまたは複数の部品の電源を切ることをさらに含むことができる。
【００１６】
実施形態によれば、本方法は、スマートアクセス制御リーダと関連した不正イベントを検出することをさらに含むことができる。本方法は、警報を発生することも含むことができる。
【００１７】
実施形態によれば、本方法は、不正イベントの検出に応じて、スマートアクセス制御リーダに記憶されているデータを削除すること、およびそのデータを暗号化することの少なくとも一方によって、そのデータを保護することをさらに含むことができる。
【００１８】
実施形態によれば、本方法は、不正イベントの検出に応じて、画像、映像記録および音声記録の少なくとも１つを捕捉することをさらに含むことができる。
【００１９】
実施形態によれば、アクセス制御システムのためのスマートアクセス制御リーダは、１つまたは複数の第１の資格情報を受信するように構成されるインタフェースを含むことができる。スマートアクセス制御リーダは、１つまたは複数の第１の資格情報が許可されているかどうかを判定するように構成されるプロセッサも含むことができる。プロセッサは、アクセス制御システムによって監視されている区域にアクセスしたいという第１のユーザによる要求に応じて、１つまたは複数の第１の資格情報が許可されているときにアクセス制御システムのアクセス制御パネルに第２の資格情報を送信するようにも構成されることができる。スマートアクセス制御リーダは、第２の資格情報を記憶するように構成される記憶モジュールも含むことができる。
【００２０】
実施形態によれば、１つまたは複数の第１の資格情報は、磁気ストライプリーダシステム、近接リーダシステム、無線周波数識別（ＲＦＩＤ）システム、アクセスコードシステムおよび生体検証システムの少なくとも１つを使用して受信されることができる。
【００２１】
実施形態によれば、プロセッサは、１つまたは複数の第１の資格情報をデータベースに記憶されている許可されている資格情報のリストと比較し、そして比較に基づいて１つまたは複数の第１の資格情報を有効とすることによって、１つまたは複数の第１の資格情報が許可されているかどうかを判定するように構成されることができる。
【００２２】
実施形態によれば、データベースは、スマートアクセス制御リーダのメモリに記憶されることができる。
【００２３】
実施形態によれば、データベースは、スマートアクセス制御リーダに結合されることができる。
【００２４】
実施形態によれば、スマートアクセス制御リーダは、カメラ、タッチパッド、発光ダイオード（ＬＥＤ）インジケータ、撮像センサ、音声センサ、ワイヤレスコントローラ、タッチコントローラ、ディスプレイコントローラ、ネットワークコントローラ、外部認証装置に接続するように構成される外部インタフェースバス、ユーザ装置と通信して支払いに基づいてアクセスを規制するように構成される第２のインタフェース、および電力管理集積回路（ＰＭＩＣ）の少なくとも１つをさらに含むことができ、ここではＰＭＩＣは、スマートアクセス制御リーダの１つまたは複数の部品のための電力管理を行う。
【００２５】
実施形態によれば、プロセッサは、スマートアクセス制御リーダと関連した不正イベントを検出するようにさらに構成されることができる。プロセッサは、警報を発生するようにも構成されることができる。
【００２６】
実施形態によれば、プロセッサは、不正イベントの検出に応じて、スマートアクセス制御リーダに記憶されているデータを削除および暗号化することの少なくとも一方によって、そのデータを保護するようにさらに構成されることができる。
【００２７】
実施形態によれば、プロセッサは、不正イベントの検出に応じて、画像、映像記録および音声記録の少なくとも１つを捕捉するようにさらに構成されることができる。
【００２８】
これらおよび他の実施形態は、図面を参照する明細書の残りにさらに詳細に記載されることになる。
【００２９】
複数の実施形態が開示されるが、本開示の例示的な実施形態を図示および記載する以下の詳細な説明から、本開示のさらに他の実施形態が当業者にとって明らかになるであろう。したがって、図面および詳細な説明は、本質的に例示的であり、限定的ではないと考えられるべきである。
【図面の簡単な説明】
【００３０】
【図１】アクセス制御システムを例示する。
【図２】本開示の実施形態に従ってアクセス制御システムを例示する。
【図３】本開示の実施形態に従ってスマートリーダの系統図を例示する。
【図４】本開示の実施形態に従ってスマートリーダを例示する。
【図５】本開示の実施形態に従ってスマートリーダを例示する。
【図６】本開示の実施形態に従って独立型装置としてのスマートリーダを例示する。
【図７】本開示の実施形態に従ってスマートリーダを取付板内に入れることを例示する。
【図８】本開示の実施形態に従ってスマートリーダが取付板内に入れられた後の操作装置を例示する。
【図９】本開示の実施形態に従って電子アクセス形態で動作する取付板内のスマートリーダを例示する。
【図１０】本開示の実施形態に従ってロック形態で動作する取付板内のスマートリーダを例示する。
【図１１】本開示の実施形態に従ってロック形態で動作する取付板内のスマートリーダを例示する。
【図１２】本開示の実施形態に従ってスマートリーダの設置および設定のためのユースケースを例示する。
【図１３】本開示の実施形態に従ってスマートリーダのセキュリティ方法のユースケースを例示する。
【発明を実施するための形態】
【００３１】
システムおよび方法は、アクセス制御システムにおいて使用されることができる１つまたは複数の装置に関する。実施形態によれば、システムは、スマートアクセス制御リーダ（以降「スマートリーダ」と称される）を含むことができ、これは、物理空間へのアクセスを提供することができるハードウェア装置である。開示されるスマートリーダは、現存のアクセス制御システムにおける現存のアクセス制御リーダ、たとえば、先行技術のアクセス制御リーダと入れ替わることができる。開示されるシステムは、スマートリーダを制御することができる一式のソフトウェアも含むことができる。ソフトウェアは、以下の装置の１つまたは複数にインストールおよび／または実行されることができる：スマートリーダ、スマートリーダと通信するために使用されるユーザ装置、およびアクセス制御システムを管理するために使用される任意の他の装置。たとえば、これらの装置は、スマートリーダを活用したアクセス制御システムを実装して、建物の居住者および彼らの客に制御アクセスを提供している建物の居住者および客のユーザ装置を含むことができる。スマートリーダは、ユーザ認証機構、たとえば、アクセスカード、パスワード、視覚識別子、生体識別子およびスマートフォンを伴ってアクセス制御を提供する機構と併せて使用されることができる安全なワイヤレス通信部品を含むことができる。そのような認証機構は、スマートリーダの一部として、および／またはユーザ装置の一部として実装されることができる。それらは、スマートリーダに接続される別の独立型装置として実装されることもできる。スマートリーダは、ロック、ドア、電気アクセス制御システム、貯蔵容器、車両、および安全化される必要がある任意の他の装置を含め、任意の数の異なるトリムと組み合わされることができる。
【００３２】
スマートリーダは、基礎をなす建物インフラストラクチャを再配線する必要なく、現存のアクセス制御リーダ、たとえば、従来の近接または磁気ストライプカードシステムを使用したアクセス制御リーダと入れ替わることができるので、それは、商用オフィスおよび多住戸ビル業界を含め、多くの業界内で有益であることができる。機器を取り替えること、または新たな機器を加えることがアクセス制御システムを保守または設置することの費用のかかる部分であるので、最小の設置時間および労力で現存の機器をアップグレードする手段が相当に有益であることができ、そしてスマートリーダは、これらの手段を提供することができる。
【００３３】
特定の事例で特定の目的を達成するように構築された従前のセキュリティハードウェア製品とは異なり、開示されるスマートリーダは、スマートリーダが取り付けられる、または接続されることができる任意の他の装置へのアクセスを規制することができる。いくつかの実施形態において、スマートリーダは、別の装置に物理的に取り付けられる、または接続されることができる。たとえば、スマートリーダは、配線を使用して別の装置に取り付ける、または接続することができる。別の例として、スマートリーダは、ワイヤレスで別の装置に取り付ける、または接続することができる。
【００３４】
スマートリーダは簡易なエンジニアリングおよび簡易な製造を可能にすることができるので、スマートリーダは、従前のリーダ製品に比べて多くの利点を有する。開示されるスマートリーダは、複数の製品にわたって同様の装置ファームウェアを使用することができ、複数の状況および環境にわたって均一なユーザ体験を提供することができ、アクセスポイントのネットワーク全体を同様に管理することができ、任意のアクセスポイントと対話することができる電子装置上で動作する統合された一組のソフトウェアアプリケーションの開発を許容することができ、単一の資格情報を複数の状況で機能するように設定することができ、複数のアクセスポイントで活用されることができる単一の安全な身元を作成することができ、スマートリーダが設置される各アクセスポイントに様々な多因子または３因子認証機構を階層化することができ、現場の不良部品とより簡単に入れ替わることができ、現場の部品の製造、調達および設置を考慮した在庫柔軟性を提供することができ、かつ業界およびその課題に精通する人々に知られている多数の他のロジスティック利点を提供することができる。加えて、スマートリーダは、現存の建物への後付けを簡単にすることができ、かつほぼ即時のアクセスおよびユーザ管理を可能にすることができる。スマートリーダは、利用可能なアクセスおよび履歴の新たなレベルの可視性も提供することができる。
【００３５】
本開示の実施形態によれば、スマートリーダは、建物の既存の資格認定システムを検出し、そして建物の既存の通信を、スマートリーダが入れ替わっているアクセス制御リーダの動作を模倣するように適合させることができる。以前のアクセス制御リーダの通信を模倣することによって、スマートリーダは、建物でアクセス制御システム全体にわたる制御権を得ることができる。マイクロプロセッサ、内部記憶装置およびワイヤレス通信機器などの内部部品を使用して、スマートリーダは、以前のシステムを使用しなければならないことなく、建物でユーザのための資格情報を処理、記憶および管理することができる。
【００３６】
加えて、スマートリーダは、新たな建物環境に設置され、そしてより高度な有線通信、たとえば、パワーオーバーイーサネット（登録商標）、またはワイヤレス通信を活用して、別のアクセス制御パネルおよび資格情報管理システムを活用する必要なく、同じ機能を行うことができる。
【００３７】
図１は、アクセス制御システム１００を例示する。アクセス制御システム１００は、アクセス制御リーダ１０２、アクセス制御パネル１０４および電子施錠機構１０６を含むことができる。アクセス制御リーダ１０２は、任意の適切な結合手段によって、たとえば、配線１０８によってアクセス制御パネル１０４に接続されることができる。電子施錠機構１０６は、任意の適切な結合手段によって、たとえば、配線１１０によってアクセス制御パネル１０４に接続されることができる。
【００３８】
アクセス制御リーダ１０２は、資格情報、たとえば、異なる個人を識別することができる信号を受信および処理することができる。アクセス制御リーダ１０２は、磁気ストライプリーダシステム、近接リーダシステム、無線周波数識別（ＲＦＩＤ）システム、キーコード入力システム、ならびに生体システム、たとえば、指紋、網膜および手のひらを伴うバイオメトリクスを含む異なる機構の１つまたは複数を使用して、資格情報を受信することができる。その機構に応じて、保護空間へのアクセスを得るために必要とされるユーザ入力は異なることができる。たとえば、磁気カードリーダは、ユーザにカード上に磁気ストライプを含むカードを通すことを要求することができる。別の例として、近接カードリーダは、ユーザにアクセス制御リーダの近くに近接カードを位置付けることを要求することができる。さらに別の例では、キーコード入力システムは、ユーザにアクセスコードを入力することを要求することができる。アクセス制御リーダ１０２がユーザ入力を受信した後、アクセス制御リーダ１０２は次いで、対応する身元を判定することによって、受信したユーザ入力、たとえば、ユーザ資格情報を処理することができる。アクセス制御リーダ１０２は、たとえば、ユーザ資格情報を調査して、それが有効であるかどうかを確認することによって、対応する身元を判定することができる。いくつかの実施形態において、ユーザ資格情報が有効である場合、アクセス制御リーダ１０２は、アクセス制御パネル１０４に信号を送ることができ、ここで信号は、電子施錠機構１０６をロック解除するのをアクセス制御パネル１０４に知られている。いくつかの実施形態において、アクセス制御リーダ１０２は、受信した資格情報を、たとえば、所定の英数字形式に変換することができ、それは次いで、配線１０８を使用してアクセス制御パネル１０４に送信されることができる。
【００３９】
アクセス制御パネル１０４は、許可されている資格情報の予め設定されたリストを記憶し、そしてこの予め設定されたリストに基づいて受信した信号を処理することができる。アクセス制御パネル１０４は、アクセス制御リーダ１０２から変換された資格情報を受信することができる。アクセス制御パネル１０４は次いで、この変換された資格情報を予め設定されたリストと照合して、ユーザが所望の時刻に所望の行為を行う許可を与えられているかどうかを判定することができる。たとえば、ユーザがユーザのカードを使用して水曜日の午後１０時に保護区域にアクセスしようとしているかもしれないが、しかしユーザは、平日の午前９時と午後５時との間にのみ保護区域にアクセスするのを許されていてもよい。この例では、アクセス制御パネル１０４がユーザが許可時間外に保護区域にアクセスしようとしていると判定したので、アクセス制御パネル１０４は、ユーザのアクセスを拒否することができる。しかしながら、ユーザが許可時間中に、たとえば、水曜日の午後３時に保護区域にアクセスしようとしていたならば、アクセス制御パネル１０４は、ユーザが保護区域にアクセスするのを許すことができたであろう。
【００４０】
アクセス制御パネル１０４は、電子施錠機構１０６が施錠機構をロック解除することができるように、配線１１０を使用して電子施錠機構１０６に信号を送信することによって、ユーザにアクセスを許すことができる。ユーザは、施錠機構がロック解除されると保護空間にアクセスすることができる。たとえば、電子施錠機構１０６は、ドア、ロッカーまたは任意の他の施錠された保護空間のためのロックを解除することができる。電子施錠機構１０６は、以下の条件の１つまたは複数が充足された後、再び保護空間を施錠することができる：ユーザが保護区域に入った、ユーザが保護区域に入り、そして保護区域を出た、ロックが解除されてから所定の期間が経過した、またはアクセス制御システム管理者が定義した任意の他の条件。ある場合には、条件の１つのみが必要とされることがあり、他の場合には、２つ以上の条件が必要とされることがある。
【００４１】
図２は、本開示の実施形態に従って、アクセス制御システム２００を例示する。アクセス制御システム２００は、以前のアクセス制御リーダ１０２と入れ替わったスマートリーダ２０２に加えて、図１におけるアクセス制御システム１００と同じすべてのサブシステム、たとえば、アクセス制御パネル１０４、電子施錠機構１０６、配線１０８および配線１１０を含むことができる。いくつかの実施形態において、アクセス制御システム２００は、システムにおけるリーダは変化したが、アクセス制御システム１００と同じ機能性を提供することができる。これらの実施形態において、アクセス制御システム２００のユーザは、前アクセス制御システム１００と現アクセス制御システム２００との間のいかなる相違にも注意しなくてよい。他の実施形態において、スマートリーダ２０２は、前アクセス制御システム１００と比較してより多くの機能および特徴を追加することができる。いくつかの実施形態において、スマートリーダ２０２は、前アクセス制御システム１００の１つまたは複数の機能および特徴を変更することができる。
【００４２】
本開示の幾つかの実施形態によれば、以前のアクセス制御リーダ１０２は、それを場所２０４で配線１０８から切り離すことによって撤去されることができる。スマートリーダ２０２は、場所２０４で、またはその近くで同じ配線１０８に配線されることができる。スマートリーダ２０２は、ロック、ドア、電気アクセス制御システム、貯蔵容器、車両、コンピュータシステム、および安全化される必要がある任意の他の装置を含め、任意の数の異なるトリムと組み合わされることができる。スマートリーダ２０２を設置および設定する方法は、以下図１２に関してさらに記載される。
【００４３】
図３は、本開示の実施形態に従ってスマートリーダの系統図３００を例示する。いくつかの実施形態において、図２におけるスマートリーダ２０２は、系統図３００によって表されることができる。いくつかの実施形態において、スマートリーダ２０２は、１つまたは複数の部品、たとえば、撮像／音声センサ３０２、ワイヤレスコントローラ３０４、タッチコントローラ３０６、近接コントローラ３０８、ホストプロセッサ３１０、ディスプレイコントローラ３１２、記憶モジュール３１４、ネットワークコントローラ３１６、電力管理集積回路（ＰＭＩＣ）３１８および外部インタフェースバス３２０を含むことができる。スマートリーダ２０２の一部である様々な部品は、ハードウェア、ソフトウェアまたは両方の組合せとして実装されることができる。これらの様々な部品は、異なる仕方で配置されることができる。これらの様々な部品が系統図３００に別々の異なった部品として図示されるが、これらの部品の１つまたは複数が組み合わされ、かつ／またはより多くの部品に分離されることができる。たとえば、タッチコントローラ３０６およびディスプレイコントローラ３１２は、組み合わされて集積部品を形成することができる。別の例として、撮像／音声センサ３０２は、２つの別々の部品に−たとえば、撮像センサおよび音声センサとして分離されることができる。いくつかの実施形態において、スマートリーダ２０２は、他の部品も含むことができる。
【００４４】
撮像／音声センサ３０２は、画像、映像および音声を検出および／または捕捉することができる。撮像／音声センサ３０２は、光学、機械または他の型であることができる。検出および／または捕捉した画像、映像および／または音声は、様々な目的で使用されることができる。
【００４５】
本開示のいくつかの実施形態によれば、検出／捕捉した画像、映像および／または音声は、認証目的で使用されることができる。いくつかの実施形態において、アクセス制御システムは、ユーザを認証する機構として生体検証を使用することができ、ここでユーザの生体画像（たとえば、顔、顔の特徴、網膜、指紋）、ユーザの生体映像（たとえば、一連のユーザの生体画像を含む映像）および／またはユーザの生体音声（たとえば、ユーザの声）がアクセス制御システムにおけるデータと比較される。
【００４６】
本開示のいくつかの実施形態によれば、撮像／音声センサ３０２は、不正防止目的で使用されることができる。いくつかの実施形態において、撮像／音声センサ３０２は、スマートリーダ２０２が移動されるときを検出することができる。これにより、スマートリーダ上で動作するセキュリティプロトコルの回避または不正を防止することができる。たとえば、撮像／音声センサ３０２は、スマートリーダ２０２が予想外の仕方で移動されるときを検出することができる。いくつかの実施形態において、撮像／音声センサ３０２は、スマートリーダ２０２がそれが不正操作されているかどうかを判定することを可能にすることができ、その場合にはスマートリーダ２０２は、異なる種類のセキュリティおよび不正防止措置を行うことができる。これらの措置は、たとえば、アクセス制御システムの管理者または近くのユーザに警報を送ること、近くの人々に可聴、可視または他の種類の警報をブロードキャストすること、装置自体から機密データを削除または暗号化する、たとえば、アクセス制御パネルにアクセスするために使用されるもの、およびスマートリーダのユーザに帰属するものなどの有効な資格情報を削除すること、スマートリーダを工場設定に戻すこと、画像、映像および／または音声を捕捉し、そしてそのデータを内部メモリに記憶すること、ならびにアクセス制御システムのセキュリティを増強することができる他の機能を含むことができる。
【００４７】
本開示のいくつかの実施形態によれば、撮像／音声センサ３０２は、カメラ、たとえば、図５におけるカメラ５１２を含むことができるか、またはカメラに接続されることができる。撮像／音声センサ３０２は、不正イベントに関連してそのカメラを作動させて、その不正に対して誰が責任があるかの証拠を捕捉しようとすることができる。このデータは、ローカルに記憶されるか、または有線もしくはワイヤレス接続を介して送信されて、この情報を、事後分析またはリアルタイム警報および可視性のために、セキュリティまたは管理人員などの、人々またはエンティティに中継することができる。いくつかの実施形態において、不正防止機能性は、スマートリーダが設置される環境で不正または他の否定的な行動を思いとどまらせることによってアクセス制御システムがより安全になることができるように、可視化および／または公開されることができる。他の実施形態において、不正防止機能性は、隠されることができる。
【００４８】
ワイヤレスコントローラ３０４は、別の装置とのワイヤレス接続を制御することができる。いくつかの実施形態において、このワイヤレス接続は、アクセス制御システム内でなされる。たとえば、ワイヤレスコントローラ３０４は、アクセス制御システムの部品、たとえば、図２におけるアクセス制御パネル１０４と接続および通信するために使用されることができる。いくつかの実施形態において、このワイヤレス接続は、アクセス制御システム外の装置となされる。たとえば、ワイヤレスコントローラ３０４は、認証目的で外部またはリモートデータベースと接続および通信するために使用されることができる。別の例として、ワイヤレスコントローラ３０４は、ユーザ装置、たとえば、ユーザのスマートフォン、ユーザのコンピュータと接続および通信するために使用されることができる。ユーザ装置は、認証を行うこと、およびセキュリティ人員に警報を出すことを含め、様々な動作を行うために接続されることができる。いくつかの実施形態において、ワイヤレスコントローラ３０４は、安全か、または非安全か、いずれかの接続をすることができる。ワイヤレスコントローラ３０４によってサポートされるワイヤレス規格またはプロトコルは、たとえば、ブルートゥース（登録商標）、ＺｉｇＢｅｅ、近距離無線通信（ＮＦＣ）ならびに他の規格および／またはプロトコルを含むことができる。
【００４９】
タッチコントローラ３０６は、アクセスコードを入力する手段を提供することができる。たとえば、アクセス制御システムは、そのユーザに一連の数字の形態のアクセスコードを入力することを要求してもよい。スマートリーダは、ユーザが、たとえば、図４に図示される数字を持つタッチパッドを使用してアクセスコードを入力する仕方を提供することができる。タッチコントローラ３０６は、ユーザ入力を受信し、そしてそれをさらなる処理のためにホストプロセッサ３１０に送ることができる。
【００５０】
近接コントローラ３０８は、近接認証機構と関連した機能をサポートすることができる。たとえば、アクセス制御システムは、ユーザに、スマートリーダの一部であることができるか、または別の装置であることができる近接カードリーダの近くに近接カードを位置付けることを要求してもよい。近接カードが近接カードリーダの近くに位置付けられると、近接コントローラ３０８は、近接カードから認証情報を受信し、そしてそれをさらなる処理のためにホストプロセッサ３１０に送ることができる。
【００５１】
ディスプレイコントローラ３１２は、ユーザに出力信号を送る手段を提供することができる。たとえば、スマートリーダは、ディスプレイ、たとえば、発光ダイオード（ＬＥＤ）スクリーンまたは液晶ディスプレイ（ＬＣＤ）スクリーンを含むことができるか、またはそれに接続されることができる。このディスプレイは、そのユーザに情報、たとえば、指示、概説、案内板および地図を提供することができる。ホストプロセッサ３１０は、記憶モジュール３１４からそのような情報を表すデータを取り出し、そしてそのデータをディスプレイに出力するためにディスプレイコントローラ３１２に送ることができる。
【００５２】
記憶モジュール３１４は、アクセス制御システムのための様々な種類のデータを記憶することができる。これらのデータ型は、たとえば、アクセス制御パネル、たとえば、図２におけるアクセス制御パネル１０４を介して基礎をなすアクセス制御システムにアクセスすることと関連した認証データ、アクセス制御システムのユーザと関連した認証データ、ならびにスマートリーダの任意の他の部品の動作のために必要とされるデータ、たとえば、ディスプレイコントローラ３１２を介してディスプレイに出力される情報、および撮像／音声センサ３０２による捕捉した画像、映像および音声を含むことができる。
【００５３】
記憶モジュール３１４に記憶されているデータの一部またはすべてが機密でありえる。したがって、記憶モジュール３１４におけるデータの一部またはすべてを保護することが望ましい場合がある。いくつかの実施形態において、スマートリーダは、スマートリーダが移動または不正操作されるときを検出する手段を提供することができる。たとえば、スマートリーダは、不正検出スイッチを含むことができ、それは機械的ピンを含むことができる。機械的ピンは、その相対位置がスマートリーダへの入力として提供されて、より高いセキュリティのモードに切り替えるように、圧縮および解放されることができる。別の例として、この同じ機能性は、光または他の視覚指標の変化を検出してイベントを検出し、スマートリーダに中継し返す光センサの使用を通して作動されることができる。さらに別の例では、この同じ機能性は、スマートリーダへの電力の喪失を検出し、そして必要に応じてバックアップ電源を起動させてデータを削除または安全化することによって作動されることができる。いくつかの実施形態において、不正を検出する際に使用されるセンサは、誤検出またはイベント漏れを除去して、それらが多種多様な環境および装着シナリオで機能するように、校正されることができる。いくつかの実施形態において、スマートリーダの不正または移動が検出されると、スマートリーダは、データ安全化動作を行うことができる。たとえば、記憶モジュール３１４におけるデータの一部またはすべてが削除、暗号化、またはスマートリーダ内もしくは外の安全な要素に移動されることができる。機密データのこの安全化は、無許可のデータ窃盗またはデータ可視性を防止することができ、かつアクセスコードリーダの総合性能にとって重要でありえる。
【００５４】
ネットワークコントローラ３１６は、ネットワーク接続を介して通信する手段を提供することができる。いくつかの実施形態において、ネットワークコントローラ３１６は、アクセス制御システム内または外の他の装置と接続および通信する際に使用されることができる。たとえば、ネットワークコントローラ３１６は、アクセス制御パネル１０４と通信するために使用されることができる。
【００５５】
電力管理集積回路（「ＰＭＩＣ」）３１８は、スマートリーダ２０２のための電力を管理するために使用されることができる。スマートリーダ２０２のための電源は、バッテリおよび有線電力接続を含め、異なる種類の１つまたは複数を含むことができる。たとえば、スマートリーダ２０２は、もっぱら有線電力接続によって給電されることができる。別の例として、スマートリーダ２０２は、主に有線電力接続によって給電されることができるが、バックアップバッテリも含むことができる。いくつかの実施形態において、スマートリーダ２０２は、現存のアクセス制御システムの現存の電源を活用することができる。
【００５６】
スマートリーダ２０２は、電力効率的に動作することができる。これは、特にスマートリーダ２０２が様々な種類の電力制約環境で動作する状況にとって有利でありえる。たとえば、スマートリーダ２０２は、バッテリ電力で動作することができる。別の例として、スマートリーダ２０２は、財政的または生態学的な理由でエネルギー消費を監視している建物に設けられることができる。
【００５７】
本開示のいくつかの実施形態によれば、ＰＭＩＣ３１８は、スマートリーダ２０２が電力効率的に動作するための機構を提供することができる。いくつかの実施形態において、スマートリーダ２０２は、休止状態およびアクティブ状態でなど、異なる状態で動作することができる。たとえば、スマートリーダ２０２が使用されるとき、それはアクティブ状態にあることができる。別の例として、スマートリーダ２０２が使用されない、または一定期間の間使用されなかったとき、それは休止状態にあることができる。いくつかの実施形態において、スマートリーダ２０２の１つまたは複数の部品は、スマートリーダ２０２が休止状態にあるときに電源が切れることができる。たとえば、スマートリーダ２０２が長期間の間使用されない場合、ディスプレイコントローラ３１２および／または記憶モジュール３１４は、電源が切れることができる。
【００５８】
いくつかの実施形態において、スマートリーダ２０２が休止状態にあるときでも、スマートリーダ２０２に、ユーザによって要求されたときに必要な部品の電源を迅速に入れる準備をさせておくことが望ましい場合がある。たとえば、スマートリーダ２０２は、応答して適時に要求された機能を行うために、近接ベースまたはタッチベースの入力を処理することが可能である必要があることがある。この場合、タッチコントローラ３０６または近接コントローラ３０８などの部品が稼動され続けられることができる一方で、いくつかの他の部品は電源が切られる。ＰＭＩＣ３１８は、スマートリーダ２０２の１つまたは複数の部品への電力の流れを制御することができる。いくつかの実施形態において、そのような電力管理は、ハードウェアレベルおよび／またはソフトウェアレベルで行われることができる。他の電力管理機構は、以下図５を参照して記載される。
【００５９】
ホストプロセッサ３１０は、スマートリーダ２０２における様々な部品に対するデータおよび動作に関連した命令を処理することができる。たとえば、タッチコントローラ３０６がタッチパッドを介してユーザのアクセスコードを受信すると、タッチコントローラ３０６は、アクセスコードが有効であるかどうかを判定するようにホストプロセッサ３１０に命令することができる。この例では、ホストプロセッサ３１０は、タッチコントローラ３０６からアクセスコードを受け、そしてアクセスコードを記憶モジュール３１４に存在することができるデータベースに記憶されている一組の有効なアクセスコードと比較することができる。ホストプロセッサ３１０は、ネットワークコントローラ３１６を使用して外部またはリモートデータベースからデータを取り出すことによって、アクセスコードを外部またはリモートデータベースに記憶されている一組の有効なアクセスコードと比較することもできる。
【００６０】
外部インタフェースバス３２０は、磁気ストライプ、近接資格情報、ＲＦＩＤ、アクセスコード（パスワードを含む）、視覚ベースの識別子、音声ベースの識別子、生体識別子およびスマートフォンを伴うものなどの様々な認証機構と併せてスマートリーダ２０２が使用されることができるように、スマートリーダ２０２内の様々なハードウェア部品を外部認証装置の１つまたは複数と接続するために使用されることができる。たとえば、スマートリーダ２０２は、外部インタフェースバス３２０を介してスマートリーダ２０２にユーザの生体情報を提供することができる外部生体スキャナ、たとえば、ユーザの網膜パターン、ユーザの指紋および／またはユーザの顔の特徴を認識することができる生体スキャナに接続されることができる。別の例として、スマートリーダ２０２は、バイオメトリクスを使用してユーザの声を検出することができる外部マイクロホンに接続されることができる。いくつかの実施形態において、上記したものを含む、１つまたは複数の外部認証装置がスマートリーダ２０２と集積されることができる。
【００６１】
本開示のいくつかの実施形態によれば、スマートリーダ２０２は、柔軟な端末として機能して、将来規格になる可能性がある種々のセキュリティ関連入力を受け入れることができる。たとえば、新たな通信プロトコルまたはセキュリティ機構が将来電子装置に導入される可能性があり、スマートリーダ２０２は、将来の電子装置といくらかの共通の通信能力を共有することによって将来の電子装置とともに動作し続けることができる。柔軟な端末は、スマートリーダが従前のアクセス制御リーダより長期間の間機能するのを許容することができる。スマートリーダと通信する二次装置が新たな特徴を追加することができ、そしてスマートリーダがプロキシでそれらの特徴を受けることができるので、柔軟な端末は、間接的にスマートリーダへの新たな特徴の組込みを可能にすることもできる。
【００６２】
本開示のいくつかの実施形態によれば、スマートリーダ２０２は、種々の入力方法を提供することによって、機能障害を持つユーザに支援を提供することもできる。たとえば、多くの電子装置が、ユーザがフィードバック付き触覚コントロールを介して、音声案内を介して、または他の拡張手段で通信するのを許容するアクセシビリティモードを有する。スマートリーダ２０２は、ユーザ自身の電子装置上のこれらの種類のアクセシビリティ特徴がスマートリーダ２０２の、またはスマートリーダ２０２に接続される二次装置上の能力とリンクされるのを許容することができる。これにより、スマートリーダ２０２が代理でそれらのアクセシビリティ特徴を提供するようにすることができる。加えて、スマートリーダは、より高度な資格認定方法を作動させることができないユーザがウェアラブル装置を使用してスマートリーダ２０２と認証することができるように、多種多様な近接ベースの認証装置と通信することができる。したがって、機能障害または身体障害を持つユーザがスマートリーダ２０２を容易に使用することができる。
【００６３】
本開示のいくつかの実施形態によれば、スマートリーダ２０２は、支払いに基づいてアクセスを規制することができる。たとえば、スマートリーダ２０２は、必要に応じて、ユーザ装置、たとえば、近接ベースの支払いカード、スマートフォンなどの電子装置と通信して支払いを受信および送信することができる。いくつかの実施形態において、スマートリーダ２０２は、ユーザ装置と直接通信することができる。他の実施形態において、スマートリーダ２０２は、二次装置を介してユーザ装置と間接的に通信することができる。この支払い技術が活用されることができる一例の場合、ユーザが支払方法、または支払いプロトコルを含む電子装置を使用してオンデマンドで空間を予約および／または購入することを伴うことができる。これは、共有空間配置、たとえば、共有ホスピタリティまたはオフィス空間、共有ロッカー、および任意の他の共有可能な空間の状況で有用であることができ、ここでユーザは、スマートリーダ２０２と通信してアクセスを支配することによって、空間を賃借することができる。
【００６４】
本開示の実施形態によれば、スマートリーダ２０２は、互いと配列または組み合わされて、環境にわたって認証の冗長または相補的な層を作成することができる。本出願の制御リーダのこの組合せは、アクセス制御システム、たとえば、複数の地点がこの種類の解決策を必要とする建物または他の環境における同じ装置内で、または複数の場所にわたって行われることができる。
【００６５】
本開示の実施形態によれば、スマートリーダ２０２は、他の電子装置と併せて使用されて、様々な装置に論理的アクセス制御および／またはデジタルログイン能力を提供することができる。これにより、単一のスマートリーダが論理的および物理的の両アクセス制御を提供し、そして同じ多面的な認証能力を、現在それらを有しない装置に拡張することを可能にすることができる。
【００６６】
本開示の実施形態によれば、スマートリーダ２０２は、物理鍵進入システムとともに使用されることができる。たとえば、スマートリーダ２０２は、別々の物理鍵進入システムに接続されることができるか、またはスマートリーダ２０２内に、もしくは取付板内に物理鍵進入システム、たとえば、物理鍵進入システム１００４を実装することができる。ある場合には、アクセス制御システムの管理者は、バックアップとしてシステムの鍵を保有したいかもしれない。ある場合には、一定のユーザ、たとえば、モバイル装置を有しないユーザまたは物理鍵進入システムをより快適であると感じるユーザが鍵を要求し、そして物理鍵進入システムを使用することができる。いくつかの実施形態において、スマートリーダ２０２とともに使用されている物理鍵進入システムは、鍵穴における物体を検出することができるセンサを有することができる。いくつかの実施形態において、センサからの情報を使用して、スマートリーダ２０２は、進入が有効であるかどうかを、たとえば、有効な鍵を使用している誰か対無許可の進入をしようとしている誰かを判定することができる。進入が有効でない場合、スマートリーダ２０２は、不正イベントがあると判定し、そして適切な措置をとることができるが、それには、他の種類の不正イベントに関して本明細書に記載したものを含むことができる。いくつかの実施形態において、物理鍵進入システムを使用したあらゆる進入および／または物理鍵進入システムを使用したあらゆる進入の試みがログに記録されることができる。他の実施形態において、無許可の進入のみがログに記録されることができる。物理鍵進入システムに関連したいかなるログも、スマートリーダ２０２の内部および／または外部に記憶されることができる。
【００６７】
本開示の実施形態によれば、スマートリーダ２０２は、それが基本的な配線を有する現存のアクセス制御またはインターコムシステムに追加されるのを許容する配線を含むことができる。これにより、現存のアクセス制御またはインターコムシステムに対する簡単なアップグレードを許容することができる。多くの従前のアクセス制御またはインターコムシステムが、古い単純なリレーおよび配線構成を有する。これらの従前のアクセス制御またはインターコムシステムと対話することが可能であることは、所定幅の予めプログラムされた資格情報およびプロトコルエミュレーション、およびさらなるライブラリが利用可能となるにつれてそれらをダウンロードすることができる能力を必要とする。スマートリーダ２０２は、資格情報規格および通信プロトコルのライブラリを保持して、多種多様な状況にわたって互換性を保証することができる。これらの予めプログラムおよびダウンロードされたライブラリは、設置工程を短縮することによって設置者を補助することができ、かつアクセス制御またはインターコムシステムを建物でユーザのために動作させることができる。
【００６８】
本開示の実施形態によれば、スマートリーダ２０２は、現存のインターコムシステムおよび／またはユーザ装置、たとえば、スマートフォンなどのモバイル装置と画像、映像および／または音声データを統合することができる。たとえば、インターコムシステムに設置されているスマートリーダ２０２は、画像、映像および／または音声を捕捉し、そして捕捉した画像、映像および／または音声を現存のインターコムシステムに、および／またはユーザ装置に送信することができる。反対に、現存のインターコムシステムは、スマートリーダ２０２に、および／またはユーザ装置に画像、映像および／または音声を送信することができる。
【００６９】
スマートリーダ２０２の様々な機能および能力を記載してきた。いくつかの実施形態において、これらの機能および能力のすべてが単一のスマートリーダによって行われることができる。他の実施形態において、スマートリーダがこれらの機能および能力の部分集合を行うことができる一方で、スマートリーダ２０２に接続される他の装置は、これらの機能および能力の１つまたは複数を行うことができる。
【００７０】
図４は、本開示の実施形態に従ってスマートリーダ２０２のユーザインタフェース４００を例示する。ユーザインタフェース４００は、様々な特徴、たとえば、タッチパッド４０２、ワイヤレスサポート４０４、カメラ４０６、ＬＥＤインジケータ４０８およびＬＥＤ４１０を含むことができる。タッチパッド４０２は、ユーザがアクセスコードを入力するために使用されることができる。いくつかの実施形態において、ユーザインタフェース４００の上面の一部分のみがタッチ感応であることができる。たとえば、数字およびこれらの数字の近くの範囲のみがタッチ感応であることができる。ワイヤレスサポート４０４は、ユーザ装置がスマートリーダに接続するのに備えることができる。ワイヤレスサポート４０４は、二次電子装置が接続して、認証機構、たとえば、生体認証機構を提供するのを許容することもできる。スマートリーダとユーザ装置との間で通信するために、ブルートゥース（登録商標）およびＮＦＣなどの規格およびプロトコルが使用されることができる。カメラ４０６は、画像、映像および／または音声を捕捉することができる。いくつかの実施形態において、カメラ４０６は、広角カメラであることができる。ＬＥＤインジケータ４０８は、スマートリーダ２０２についての情報を提供することができる。たとえば、ＬＥＤインジケータ４０８は、異なる状態、たとえば、問題なし、エラー、低電力、電力なし、待機、および様々な条件に関連した任意の他の状態を示すことができる。ＬＥＤ４１０は、スマートリーダ２０２を照らすために使用されることもできる。たとえば、ＬＥＤ４１０がタッチパッド４０２を背後から照明することができるので、ＬＥＤ４１０は、入力手段を表示するために使用されることができる。いくつかの実施形態において、ＬＥＤ４１０は、ユーザがスマートリーダにアクセスしているとき、および／またはスマートリーダが暗闇で動作しているときにのみ点灯されることができる。いくつかの実施形態において、スマートリーダ２０２は、たとえば、耐傷、疎油性の保護コーティングを含むことができる。
【００７１】
図５は、本開示の実施形態に従ってスマートリーダ５００、たとえば、図２のスマートリーダ２０２を例示する。いくつかの実施形態において、スマートリーダ５００は、２つの別々の層を含むことができる：表層５０２および底層５０４。いくつかの実施形態において、表層５０２は、ステンシルおよび／または補強面であることができる。表層５０２は、タッチ感応面５０６を含むことができる。たとえば、図５において、１０桁（０〜９）の各々を囲む円がタッチ感応であることができる。スマートリーダ５００のユーザは、これらのタッチ感応範囲を使用してアクセスコードを入力することができる。たとえば、ユーザに割り当てられたアクセスコードが「１２３４」である場合、ユーザは、アクセスコードに対応する数字をタップして、スマートリーダ５００が実装されている保護空間へのアクセスを得ることができる。いくつかの実施形態において、タッチ感応面５０６は、可視光５０８を発することができ、そのためユーザは、暗闇で数字を見ることができる。１つまたは複数の発光素子５１０が可視光５０８の発生源であることができる。
【００７２】
いくつかの実施形態において、スマートリーダ５００は、発光素子５１０としてＬＥＤを活用することによって、電力消費を制限することができる。タッチ感応面５０６の背後にＬＥＤを位置付けることによって、スマートリーダ５００は、完全なタッチスクリーンと比較して電力消費を低減させることができるタッチスクリーンの外観を提供することができる。いくつかの実施形態において、タッチ感応面５０６は、外部光源から遮蔽されることができる。いくつかの実施形態において、タッチ感応面５０６は、ＬＥＤによって選択的に照明されて、照明された文字を持つタッチ面であるとの錯覚を与えることができる。いくつかの実施形態において、ＬＥＤが点灯および消灯する輝度および／または速度を変化させて、より高度なディスプレイのものを模倣することによって、タッチスクリーンのように感じる錯覚は、さらに強化されることができる。
【００７３】
本開示のいくつかの実施形態によれば、スマートリーダ５００は、装置で行われるアクセスイベントに関連して、必要に応じて、画像、映像および音声を捕捉することができる。たとえば、ユーザが資格情報を入力するたびに、その行為が搭載記録機器によって捕捉されて、安全な行為ログを作成することができる。この能力は、ゲストにも適用されることができる。スマートリーダ５００は、カメラ５１２を使用して画像または映像を捕捉することができる。スマートリーダ２０２は、レコーダを使用して音声を捕捉することができる。ある場合には、そのような監視能力が存在するという事実を隠蔽することが有利である場合がある。したがって、いくつかの実施形態において、カメラ５１２および／またはレコーダが隠蔽されることができるように、カメラ５１２および／またはレコーダは、スマートリーダ５００の別の特徴の背後に隠されることができる。隠蔽することによって、カメラ５１２および／またはレコーダは、遮蔽および保護されることもできる。いくつかの実施形態において、スマートリーダ５００は、表面仕上および／または遮光を使用してカメラ５１２の存在を隠蔽することができる。
【００７４】
図６は、本開示の実施形態に従って独立型装置としてのスマートリーダ２０２（図２における）を例示する。
【００７５】
スマートリーダ２０２の物性は、それらが装置自体の全体のセキュリティに影響を与えるので、重要でありえる。いくつかの実施形態において、スマートリーダは、その周辺環境に融合し、屋内および屋外で極限条件を乗り切り、敏感な電子機器を保護し、かつ／またはセキュリティ製品に特有の種々の機能を行うことができる。スマートリーダ２０２のセキュリティリスクの１つは、アクセスコード入力要素が、許可されているユーザのアクセスコードが何であるかを予測する、または正しいアクセスコードを推測する確率を上昇させるために、やがて別の当事者によって調べられ得る、ユーザがアクセスコードを入力することからの汚れを保つことがあるということでありえる。このセキュリティリスクから保護するために、スマートリーダの表面は、指紋の存在を見にくくする、たとえば、本質的に疎油性の特別なコーティングで覆われる、または処理されることができる。スマートリーダ２０２は、引っかき傷および表面摩耗からも保護されることができる。スマートリーダ２０２は、製品の寿命を増すように調整されることができ、このことは、スマートリーダ２０２が種々のゲストおよび一次ユーザによって使用される環境で役立つ場合がある。
【００７６】
いくつかの実施形態において、アクセスコード入力を観察している何者かが実際のアクセスコードが何であるかを知るのを防止するために、スマートリーダ２０２上の入力値、たとえば、数字の位置は変化することができる。この特徴は、一定の入力値、たとえば、数字を打つことと動きを相関させるために、ユーザの動きを録画しているかもしれない何者かを妨害することができる。いくつかの実施形態において、スマートリーダ２０２上の入力値は、それらが順に読めない、たとえば、１から１０まで配置される数字の代わりに、数字が１、７、６、３、２、５、０、８、９、４のように配置されることができるように、動的に変更されることができる。入力値の配置は、様々な条件に基づいて変化することができる。たとえば、入力値配置は、ユーザがスマートリーダ２０２を使用した前および／または後に変化することができる。別の例として、入力値配置は、一定期間後に変化することができる。いくつかの実施形態において、入力値は、たとえば、タッチスクリーンを含め、異なる種類の表面を使用して動的に配置されることができる。
【００７７】
スマートリーダ２０２は、取付板および／またはカバーの１つまたは複数を有して、スマートリーダ２０２が様々な状況および／または装着構成で機能するのを許容することができる。これらの状況および装着構成は：屋外、屋内、異なる種類の壁（たとえば、コンクリート壁、煉瓦壁、ガラス壁、金属壁、板壁）、異なる種類のドア（たとえば、木製ドア、金属ドア、プラスチックドア、ガラス戸）、極端な要素への暴露、および環境課題からの保護を含むことができる。取付板および／またはカバーは、敏感な内部部品を保護すること、スマートリーダが設置されることができる場所を拡大すること、および他の課題に対処すること、たとえば、機能させるにはアダプタ板を要する、リーダより薄いドア枠を、従前のシステムによって覆わせることによって、スマートリーダ２０２が機能することができる環境の数を拡大することができる。
【００７８】
図７は、本開示の実施形態に従ってスマートリーダ２０２がどのように取付板７０２に入れられることができるかを例示する。取付板７０２は、スマートリーダ２０２のための支持ハードウェアとして作用することができる。
【００７９】
図８は、本開示の実施形態に従ってスマートリーダ２０２が図７からの取付板７０２内に入れられた後の操作装置を例示する。
【００８０】
図９は、本開示の実施形態に従って電子アクセス形態で動作する取付板９０２内のスマートリーダ２０２を例示する。
【００８１】
図１０は、本開示の実施形態に従ってロック形態で動作する取付板１００２内のスマートリーダ２０２を例示する。いくつかの実施形態において、取付板１００２は、物理鍵進入システム１００４を有することができる。
【００８２】
図１１は、本開示の実施形態に従ってロック形態で動作する取付板１１０２内のスマートリーダ２０２を例示する。いくつかの実施形態において、取付板１１０２は、物理鍵進入システム１１０４を有することができる。
【００８３】
図１２は、本開示の実施形態に従ってスマートリーダの設置および設定のための例証的な方法を例示する。現存のアクセス制御システムが、１つまたは複数のアクセス制御リーダ、配線およびアクセス制御パネルを含むことができる（１２０２）。この現存のアクセス制御システムは、図１におけるアクセス制御システム１００と類似していることができる。建物管理者または所有者が、開示されるスマートリーダを設置することによってアクセス制御システムを変更することを決定する（１２０４）。建物管理者または所有者は、この変更がアクセス制御システムにおける現存のアクセス制御リーダをアップグレードまたは修復することを望むことがある。このスマートリーダは、たとえば、図２におけるスマートリーダ２０２であることができる。
【００８４】
設置者が設置現場に到着すると、設置者は、建物管理システムからの許可されている資格情報の１つをスキャンする（１２０６）。たとえば、設置者は、現存のアクセス制御システムで機能する現存のＲＦＩＤカードをスキャンして、スマートリーダでエミュレートする目的の内部番号を受け取ることができる。スキャンした許可されている資格情報は、現存のアクセス制御パネルに既にプログラムされているか、またはプログラムされることができる。
【００８５】
設置者は、許可されている資格情報が後に設定工程で必要になるまで、それを、たとえば、設置者によって携行されているモバイル装置に記憶することができる。現存のアクセス制御リーダへの電力を停止した、または必要とされる安全対策をとった後、設置者は、現存のアクセス制御リーダを、たとえば、壁から撤去することができ、そしてそれを接続箱、露出した配線または現場で見られる他の構成から切り離すことができる（１２０８）。この時点で、設置者には、以前のアクセス制御リーダを接続するために使用された露出した一組の配線が残されることになる。
【００８６】
露出した配線を使用して、設置者は、スマートリーダを配線し、そしてそれを壁に装着することができる（１２１０）。電力を復旧した後、スマートリーダは、プログラムされる準備ができている。前にスキャンした資格情報が、たとえば、設置者のモバイル装置からスマートリーダにその資格情報を送信することによって、スマートリーダにプログラムされる（１２１２）。設置者は、モバイル装置を介してスマートリーダのメモリおよび、もしあれば、リモートサーバに新たな許可されているユーザを追加することができる（１２１４）。スマートリーダは、物理的アクセス資格情報、パスワードおよび／またはアクセスコードを処理することができ、そして他の電子装置および生体識別子と直接通信することができる（１２１６）。
【００８７】
一旦許可されているユーザおよび彼らの資格認定のモードのすべてが作成および記憶されると、ユーザは、スマートリーダに接近して認証することができる。スマートリーダが資格情報を提供されると、それは、以前に設置されたアクセス制御リーダを介して資格情報を有効としなければならないことなく、スマートリーダ上で資格情報を有効とする（１２１８）。一旦資格情報がスマートリーダによって有効とされると、スマートリーダは、その資格情報を配線に沿って既存のアクセス制御パネルに送ることによって、設定の間に記憶された資格情報を安全に活用する（１２２０）。アクセス制御パネルには、資格情報がスマートリーダによって提供される手段とその資格情報が以前のアクセス制御リーダによって提供されていた手段との間の相違が分からない。その資格情報は許可されているので、アクセス制御パネルは、適切な電子ドア作動ハードウェアのためのリレーを作動させることになる（１２２２）。
【００８８】
以上の動作のすべてが、パネルを再プログラムする、建物に再配線する、またはいかなる電子ドア作動ハードウェアも変更する必要なく、行われることができる。実施形態によれば、新たなスマートリーダは、既存のシステムとは別に、資格情報およびユーザ管理を扱うことができる。いくつかの実施形態において、スマートリーダは、ＷｉＦｉまたはＧＳＭ（登録商標）ネットワーク接続などの搭載ワイヤレス通信システムを介してネットワークと通信することによって、これを達成することができる。それは、近くの電子装置を介して通信することもでき、しかもユーザがスマートリーダと対話するときに受動的にそうすることができる。たとえば、ユーザがユーザのスマートフォン上のブルートゥース（登録商標）を介してスマートリーダと接続して認証する場合、スマートフォンは、その個々のアクセストランザクションの間にスマートリーダに許可されているユーザリスト最新版を渡すこともでき、建物での専用のネットワーク接続の必要なくスマートリーダの資格認定システムをシームレスに更新する手段を提供する。
【００８９】
本開示の実施形態によれば、図１２における１つまたは複数の動作は、現存のアクセス制御システムに対しての代わりに、現存のインターコムシステムに対して行われることができる。現存のインターコムシステムの場合、ユーザがスマートリーダを介して認証されると、ユーザは、現存のインターコムシステムを介して所望の当事者と通信することができる。いくつかの実施形態において、スマートリーダは、アクセス制御パネルに接続される必要なく、アクセス制御ハードウェア、たとえば、ドア制御ハードウェアに直接接続されることができる。いくつかの実施形態において、スマートリーダは、統合インターコムシステムを含むアクセス制御システムに設置および使用されることができる。
【００９０】
図１３は、本開示の実施形態に従ってスマートリーダのセキュリティ方法のユースケースを例示する。スマートリーダが現存のアクセス制御システムに設置される（１３０２）。たとえば、スマートリーダは、図１２に記載される設置ステップを使用して設置されることができる。スマートリーダは、それが妨害されている、たとえば、撤去、移動または不正操作されているときを検出することができるセンサを動作させることができる（１３０４）。センサの１つが、異常状態がある（たとえば、何者かがスマートリーダをその固定位置から撤去しようとしている）と検出する（１３０６）。そのようなイベントが検出されると、スマートリーダは、行われているイベントの画像、映像、音声または他のセンサ情報を捕捉することによって応答する（１３０８）。スマートリーダは次いで、捕捉した情報をその内部メモリ、たとえば、図３における記憶モジュール３１４に記憶することができる（１３１０）。所定の閾値が越えられると、スマートリーダは、通知を発して、それが妨害されていることを伝達する（１３１２）。たとえば、スマートリーダがその初期位置から閾値距離、たとえば、０．５ｍｍより移動されたとセンサが検出した場合、スマートリーダは、可視および／または可聴警報を発することができる。その上、スマートリーダは、その内部メモリにおけるデータの一部またはすべてを削除および／または暗号化する（１３１４）。たとえば、スマートリーダは、すべてのユーザ名および彼らの資格情報を削除する一方で、すべてのその他のデータを暗号化することができる。スマートリーダが不正イベントのため電源を失う場合、スマートリーダは、将来の必要が生じるまで、すべての情報を記憶する（１３１６）。そのような情報は、内部ログ、センサ示度、ユーザデータ、画像、映像および音声を含むことができる。スマートリーダは、それ自体を保護モードにも設定し、それは、リセットするためにより高レベル資格情報、たとえば、ルート管理者の特権を持つアカウントを必要とするものである（１３１８）。スマートリーダは、次いでリセットを待ち、それにより、アクセス制御システムの管理システムがスマートリーダにおけるログおよび他の有益情報にアクセスすることを可能にすることができる（１３２０）。
【００９１】
論じた例証的な実施形態に、本開示の範囲から逸脱することなしに、様々な他の変更および追加がなされることができる。たとえば、上記した実施形態が特定の特徴または特定のステップに関連するが、本開示の範囲には、特徴またはステップの異なる組合せを有する実施形態、および上記した特徴またはステップのすべてを含むわけではない実施形態も含む。実施形態は、本明細書に記載していない他の特徴またはステップも含むことができる。
【００９２】
当業者は、本明細書に記載した明細および図面における様々な例示が電子ハードウェア、コンピュータソフトウェア、または両方の組合せとして実装されることができることを認識するであろう。ハードウェアおよびソフトウェアのこの互換性を例示するために、様々な例示的なブロック、モジュール、要素、部品、方法およびアルゴリズムが、概してそれらの機能性に関して上記された。そのような機能性がハードウェア、ソフトウェアまたは組合せとして実装されるかどうかは、システム全体に課される特定用途および設計制約条件に依存する。当業者は、記載した機能性を各特定用途のために様々な仕方で実装することができる。様々な部品およびブロックが、すべて主題技術の範囲から逸脱することなしに、異なって配置される（たとえば、異なる順序に配置される、または異なる仕方で分割される）ことができる。
【００９３】
さらには、通信プロトコルの実装が、１つのシステムに集中的に、または異なる要素がいくつかの相互接続システムにわたって拡散されて分散的に実現されることができる。本明細書に記載した方法を実施するために適合されるいかなる種類のコンピュータシステムまたは他の装置も、本明細書に記載した機能を行うのに適している。
【００９４】
異なる装置間の接続は、配線の有無にかかわらずなされることができる。たとえば、アクセス制御パネルとスマートリーダとの間の接続は、有線および／またはワイヤレスであることができる。別の例として、アクセス制御パネルと電子施錠機構との間の接続は、有線および／またはワイヤレスであることができる。
【符号の説明】
【００９５】
１００  アクセス制御システム
１０２  アクセス制御リーダ
１０４  アクセス制御パネル
１０６  電子施錠機構
１０８  配線
１１０  配線
２００  アクセス制御システム
２０２  スマートリーダ
２０４  場所
３０２  撮像／音声センサ
３０４  ワイヤレスコントローラ
３０６  タッチコントローラ
３０８  近接コントローラ
３１０  ホストプロセッサ
３１２  ディスプレイコントローラ
３１４  記憶モジュール
３１６  ネットワークコントローラ
３１８  電力管理集積回路（ＰＭＩＣ）
３２０  外部インタフェースバス
４００  ユーザインタフェース
４０２  タッチパッド
４０４  ワイヤレスサポート
４０６  カメラ
４０８  ＬＥＤインジケータ
４１０  ＬＥＤ
５００  スマートリーダ
５０２  表層
５０４  底層
５０６  タッチ感応面
５０８  可視光
５１０  発光素子
５１２  カメラ
７０２  取付板
９０２  取付板
１００２  取付板
１００４  物理鍵進入システム
１１０２  取付板
１１０４  物理鍵進入システム
【図１】
2019505058.tif 000003
【図２】
2019505058.tif 000004
【図３】
2019505058.tif 000005
【図４】
2019505058.tif 000006
【図５】
2019505058.tif 000007
【図６】
2019505058.tif 000008
【図７】
2019505058.tif 000009
【図８】
2019505058.tif 000010
【図９】
2019505058.tif 000011
【図１０】
2019505058.tif 000012
【図１１】
2019505058.tif 000013
【図１２】
2019505058.tif 000014
【図１３】
2019505058.tif 000015
【国際調査報告】
2019505058.tif 000016
2019505058.tif 000017
2019505058.tif 000018